(57)【要約】【課題】部品点数が少なく、掛かる荷重に対し最適な防振体を有するとともに位置調整が不要で取り付けが容易なエレベータ用巻上機の防振構造体を得る。【解決手段】エレベータ用巻上機の防振構造体は、機械室の床に設けられた機械台レールとエレベータ用巻上機を搭載している巻上機台レールとの間に介設して防振するエレベータ用巻上機の防振構造体において、面内に配置されるとともに鉛直方向のばね定数が異なる複数の弾性体を含む防振体と、一部の前記弾性体だけに当接する当接部材とを有する。【選択図】図２
2012197149.tif 000002
【特許請求の範囲】
【請求項１】
機械室の床に設けられた機械台レールとエレベータ用巻上機を搭載している巻上機台レールとの間に介設して防振するエレベータ用巻上機の防振構造体において、
面内に配置されるとともに鉛直方向のばね定数が異なる複数の弾性体を含む防振体と、
一部の前記弾性体だけに当接する当接部材と
を有することを特徴とするエレベータ用巻上機の防振構造体。
【請求項２】
前記防振体は、中央に配置される主弾性体と、前記主弾性体を囲むように円周上に配置されるばね定数が異なる複種類の副弾性体とを有し、
前記当接部材は、少なくとも１種類の前記副弾性体に前記巻上機の荷重を伝えることを特徴とする請求項１に記載のエレベータ用巻上機の防振構造体。
【請求項３】
前記防振体を囲む枠を有し、
前記枠および前記当接部材にそれぞれ付けられた印を合わせることにより荷重を引き受ける前記弾性体を選択することを特徴とする請求項１に記載のエレベータ用巻上機の防振構造体。
【請求項４】
前記当接部材は、少なくとも２種の前記弾性体に当接することを特徴とする請求項１に記載のエレベータ用巻上機の防振構造体。
【発明の詳細な説明】
【技術分野】
【０００１】
この発明は、巻上機に掛かる荷重に合わせて、ばね定数を容易に変更でき、最適な防振効果を得ることができるエレベータ用巻上機の防振構造体に関するものである。
【背景技術】
【０００２】
従来のエレベータ用巻上機の防振構造体は、巻上機台と機械台との間に防振ゴムが配置され、巻上機台レールの下面に、挟持具により最適の位置に圧固定される摺動台板を備え、また機械台レールの上面に、挟持具により最適位置に圧接固定される摺動台板を備えている。この２つの摺動台板の間に上下に張出基板を有する防振ゴムを介在させ、この張出基板にレールと交わる方向への長孔を設け、この長孔を摺動台板より突出する植込ボルトに挿通させ、最適の位置にナットで固定するようにしてある（例えば、特許文献１参照）。
【先行技術文献】
【特許文献】
【０００３】
【特許文献１】特開平４−３６１９７５号公報
【発明の概要】
【発明が解決しようとする課題】
【０００４】
上述のような構成のエレベータ用巻上機の防振構造体では、防振ゴムの他に、巻上機台レールの下面及び機械台レールの上面に設けられた摺動台板、この摺動台板を固定する挟持具、防振ゴム上下面の張出基板など多数の部品で構成されているため、コストアップとなるという問題があった。
また、巻上機を介して防振ゴムに作用する荷重に対し、防振ゴムが最適に荷重を受けることが可能となる位置を張出基板の長孔の範囲で探り当てる作業が必要となり、防振ゴムを取付ける作業に手間が掛かるという問題があった。
【０００５】
この発明は、前記のような課題を解決するためになされたものであり、部品点数が少なく、掛かる荷重に対し最適な防振体を有するとともに位置調整が不要で取り付けが容易なエレベータ用巻上機の防振構造体を得ることを目的とする。
【課題を解決するための手段】
【０００６】
この発明に係るエレベータ用巻上機の防振構造体は、機械室の床に設けられた機械台レールとエレベータ用巻上機を搭載している巻上機台レールとの間に介設して防振するエレベータ用巻上機の防振構造体において、面内に配置されるとともに鉛直方向のばね定数が異なる複数の弾性体を含む防振体と、一部の前記弾性体だけに当接する当接部材とを有する。
【発明の効果】
【０００７】
この発明に係るエレベータ用巻上機の防振構造体は、当接部材に接するばね定数が異なる弾性体を変更することにより、防振体のばね定数を変更することができ、当接部材の位置を変えるだけで巻上機に対して最適な防振効果を発揮することができる。
【図面の簡単な説明】
【０００８】
【図１】この発明の実施の形態１に係る防振構造体を取付けたエレベータ用巻上機の正面図である。
【図２】この発明の実施の形態１に係る防振構造体の分解斜視図である。
【図３】防振構造体の縦断面図である。
【図４】防振体の配置図である。
【図５】この発明の実施の形態２に係るプレートの平面図である。
【発明を実施するための形態】
【０００９】
以下、本発明のエレベータ用巻上機の防振構造体の好適な実施の形態につき図面を用いて説明する。
実施の形態１．
図１は、この発明の実施の形態１に係る防振構造体を取付けたエレベータ用巻上機の正面図である。図２は、この発明の実施の形態１に係る防振構造体の分解斜視図である。図３は、防振構造体の縦断面図である。図４は、防振体の配置図である。
この発明の実施の形態１に係るエレベータ用巻上機１は、図１に示すように、巻上機台レール２に固定され、この巻上機台レール２は、巻上機１の荷重を均等に分散させる位置に防振構造体３を下に介在させて機械台レール４上に固定される。
【００１０】
この発明の実施の形態１に係る防振構造体３は、図２に示すように、防振体台板１１と、防振体台板１１上に固定される円筒形の防振体枠１２と、防振体枠１２内に防振体台板１１上に配置される防振体１３と、防振体枠１２の上面に蓋をするプレート１４と、を備える。
【００１１】
防振体１３は、図２、３に示すように、防振体枠１２の中央に配置される円柱状の主弾性体１５と、主弾性体１５の周りを取り囲むように主弾性体１５の中心軸を中心とした円周上に配置されるバネ定数が異なる３種の副弾性体１６ａ、１６ｂ、１６ｃと、から構成される。尚、副弾性体を３種類としたが、これに限るものではない。
主弾性体１５の高さをＡｃｍとすると、副弾性体１６ａ、１６ｂ、１６ｃの高さは（Ａ−Δ）ｃｍと主弾性体１５よりΔｃｍだけ低い。
【００１２】
そして、３種の副弾性体１６ａ、１６ｂ、１６ｃは、それぞれ３個、計９個から構成されている。１種の副弾性体１６ａは、主弾性体１５の中心軸を中心として１２０°ピッチで配置されている。また、他の１種の副弾性体１６ｂは、副弾性体１６ａそれぞれに対して主弾性体１５の中心軸を中心として４０°反時計回りに回転する位置に配置されている。また、もう１つの副弾性体１６ｃは、副弾性体１６ｂそれぞれに対して主弾性体１５の中心軸を中心として４０°反時計回りに回転する位置に配置されている。尚、１種類の副弾性体を３個としたが、これに限るものではなく、４個以上であっても良い。
【００１３】
プレート１４は、防振体枠１２の内径より若干小さい外径の円板であり、プレート１４で防振体枠１２に蓋をしたとき、３種の副弾性体１６ａ、１６ｂ、１６ｃの内、１種の副弾性体１６ａ、１６ｂ、１６ｃの上部が嵌め込まれる有底の円筒からなる凸部１７が３個プレート１４の裏面に円筒の底が接するように固定されている。従って、防振体枠１２の上面からプレート１４を被せて回動すると、凸部１７が１種の副弾性体１６ａ、１６ｂ、１６ｃの上部に嵌り回動が係止される。有底の円筒の底の厚さは主弾性体１５と副弾性体１６ａ、１６ｂ、１６ｃとの差Δｃｍである。
プレート１４の側面には、回動が係止されたとき、防振体枠１２の外側面の上縁部に付けられた３つのアイマーク１８ａ、１８ｂ、１８ｃの１つと重なるアイマーク１９が付けられている。
【００１４】
次に、防振構造体３の防振作用について説明する。
プレート１４を、凸部１７が副弾性体１６ａの上に被さるようにアイマーク１８ａにアイマーク１９を重ねて防振体枠１２に蓋をすると、プレート１４の裏面に主弾性体１５が接するとともに、凸部１７の底面に副弾性体１６ａが接する。従って、巻上機の荷重が主弾性体１５と副弾性体１６ａを介して機械台レールに掛かる。また、プレート１４の凸部１７が別の副弾性体１６ｂ、１６ｃに接するように変更することもできる。
【００１５】
このように凸部１７の底面に接する副弾性体１６ａ、１６ｂ、１６ｃを変更することにより、主弾性体１５と合わせた防振体１３のばね定数を変更することができ、プレート１４の位置を変えるだけで巻上機１に対して最適な防振効果を発揮することができる。
【００１６】
また、防振体枠１２に付けられたアイマーク１８ａ、１８ｂ、１８ｃとプレート１４に付けられたアイマーク１９を合わせるだけで、防振体１３のばね定数が変更可能となり、現地での撓み調整作業が容易となる。
【００１７】
実施の形態２．
図５は、この発明の実施の形態２に係るプレートを裏面側から見た平面図である。
この発明の実施の形態２に係るエレベータ用巻上機の防振構造体は、この発明の実施の形態１に係るエレベータ用巻上機の防振構造体３とプレート１４Ｂが異なり、それ以外は同様であるので、同様な部分に同じ符号を付記し説明を省略する。
この発明の実施の形態２に係るプレート１４Ｂは、この発明の実施の形態１に係るプレート１４と凸部１７Ｂが異なり、それ以外は同様である。
凸部１７Ｂは、図４に示す防振体１３に被せたとき、隣接する２つの副弾性体、例えば１６ａ、１６ｂに接し、巻上機１の荷重を主弾性体１５と合わせて受ける。
【００１８】
このように構成されたエレベータ用巻上機の防振構造体においては、プレート１４の位置の変更のみで、防振体１３のばね定数を可変することができると共に、更に実施の形態１よりも大きな荷重を受けることが可能となる。
【符号の説明】
【００１９】
１  エレベータ用巻上機、２  巻上機台レール、３  防振構造体、４  機械台レール、１１  防振体台板、１２  防振体枠、１３  防振体、１４、１４Ｂ  プレート、１５  主弾性体、１６ａ、１６ｂ、１６ｃ  副弾性体、１７、１７Ｂ  凸部、１８ａ、１８ｂ、１８ｃ  アイマーク、１９  アイマーク。
【図１】
2012197149.tif 000003
【図２】
2012197149.tif 000004
【図３】
2012197149.tif 000005
【図４】
2012197149.tif 000006
【図５】
2012197149.tif 000007